(57)【特許請求の範囲】
【請求項１】
光学系またはイメージセンサを前記光学系の光軸と交差する方向に移動させる第１駆動機構を有する撮像装置と、前記撮像装置を回転可能に支持する支持機構とを備える撮像システムを制御する制御装置であって、
前記撮像装置の振動を示す振動信号に基づく第１周波数帯域の第１信号に従って前記支持機構を制御し、前記振動信号に基づく第２周波数帯域の第２信号に従って前記第１駆動機構を制御することで、像振れ補正を実行するように構成される回路を備え、
前記回路は、
前記像振れ補正を実行している間に、前記光学系または前記イメージセンサが移動可能範囲の境界位置まで移動した場合、前記移動可能範囲内の予め定められた第１位置まで前記光学系または前記イメージセンサを移動させるリセット動作を実行し、
前記光学系または前記イメージセンサが移動可能範囲内の境界位置まで移動した後、前記リセット動作が完了するまでの間、前記振動信号に基づく前記第１周波数帯域及び前記第２周波数帯域を含む第３周波数帯域の第３信号に従って前記支持機構を制御することで、像振れ補正を実行するように構成される、制御装置。
【請求項２】
前記第２周波数帯域は、前記第１周波数帯域に含まれる周波数によりも高い周波数を含む、請求項１に記載の制御装置。
【請求項３】
前記第２周波数帯域は、前記第１周波数帯域に含まれる周波数の一部を含む、請求項１に記載の制御装置。
【請求項４】
前記回路は、前記光学系または前記イメージセンサが移動可能範囲内の境界位置まで移動すると、前記リセット動作を開始するまで前記光学系または前記イメージセンサを前記境界位置で待機させ、前記第２信号に基づいて前記第１駆動機構を制御することで前記光学系または前記イメージセンサの移動方向が前記第１位置に近づく方向になる場合に、前記リセット動作を開始するように構成される、請求項１に記載の制御装置。
【請求項５】
請求項１から４の何れか１つに記載の制御装置と、
前記光学系、前記イメージセンサ、及び前記第１駆動機構を有する撮像装置と、
前記支持機構と
を備える撮像システム。
【請求項６】
請求項５に記載の撮像システムを備えて移動する移動体。
【請求項７】
光学系またはイメージセンサを前記光学系の光軸と交差する方向に移動させる第１駆動機構を有する撮像装置と、前記撮像装置を回転可能に支持する支持機構とを備える撮像システムを制御する制御方法であって、
前記撮像装置の振動を示す振動信号に基づく第１周波数帯域の第１信号に従って前記支持機構を制御し、前記振動信号に基づく第２周波数帯域の第２信号に従って前記第１駆動機構を制御することで、像振れ補正を実行する段階と、
前記像振れ補正を実行している間に、前記光学系または前記イメージセンサが移動可能範囲の境界位置まで移動した場合、前記移動可能範囲内の予め定められた第１位置まで前記光学系または前記イメージセンサを移動させるリセット動作を実行する段階と、
前記光学系または前記イメージセンサが移動可能範囲内の境界位置まで移動した後、前記リセット動作が完了するまでの間、前記振動信号に基づく前記第１周波数帯域及び前記第２周波数帯域を含む第３周波数帯域の第３信号に従って前記支持機構を制御することで、像振れ補正を実行する段階と
を備える制御方法。
【請求項８】
請求項１から４の何れか１つに記載の制御装置としてコンピュータを機能させるためのプログラム。
【発明の詳細な説明】
【技術分野】
【０００１】
本発明は、制御装置、撮像システム、移動体、制御方法、及びプログラムに関する。
【背景技術】
【０００２】
特許文献１には、「第１レンズ３及び第２レンズ４の何れか一方、もしくは両方回動させ、手振れ時の像の振れを補正する」と記載されている。
［先行技術文献］
［特許文献］
［特許文献１］  特開平９−２５１１２７号公報
【発明の概要】
【発明が解決しようとする課題】
【０００３】
撮像装置と、撮像装置を回転可能に支持する支持機構とを備える撮像システムにおいて、像振れ補正をより最適化することが望まれている。
【課題を解決するための手段】
【０００４】
本発明の一態様に係る制御装置は、光学系またはイメージセンサを光学系の光軸と交差する方向に移動させる第１駆動機構を有する撮像装置と、撮像装置を回転可能に支持する支持機構とを備える撮像システムを制御する制御装置でよい。制御装置は、撮像装置の振動を示す振動信号に基づく第１周波数帯域の第１信号に従って支持機構を制御し、振動信号に基づく第２周波数帯域の第２信号に従って第１駆動機構を制御することで、像振れ補正を実行するように構成される回路を備えてよい。回路は、像振れ補正を実行している間に、光学系またはイメージセンサが移動可能範囲の境界位置まで移動した場合、移動可能範囲内の予め定められた第１位置まで光学系またはイメージセンサを移動させるリセット動作を実行し、光学系またはイメージセンサが移動可能範囲内の境界位置まで移動した後、リセット動作が完了するまでの間、振動信号に基づく第１周波数帯域及び第２周波数帯域を含む第３周波数帯域の第３信号に従って支持機構を制御することで、像振れ補正を実行するように構成されてよい。
【０００５】
第２周波数帯域は、第１周波数帯域に含まれる周波数によりも高い周波数を含んでよい。
【０００６】
第２周波数帯域は、第１周波数帯域に含まれる周波数の一部を含んでよい。
【０００７】
回路は、光学系またはイメージセンサが移動可能範囲内の境界位置まで移動すると、リセット動作を開始するまで光学系またはイメージセンサを境界位置で待機させ、第２信号に基づいて第１駆動機構を制御することで光学系またはイメージセンサの移動方向が第１位置に近づく方向になる場合に、リセット動作を開始するように構成されてよい。
【０００８】
本発明の一態様に係る撮像システムは、上記制御装置と、光学系、イメージセンサ、及び第１駆動機構を有する撮像装置と、支持機構とを備えてよい。
【０００９】
本発明の一態様に係る移動体は、上記撮像システムを備えて移動する移動体でよい。
【００１０】
本発明の一態様に係る制御方法は、光学系またはイメージセンサを光学系の光軸と交差する方向に移動させる第１駆動機構を有する撮像装置と、撮像装置を回転可能に支持する支持機構とを備える撮像システムを制御する制御方法でよい。制御方法は、撮像装置の振動を示す振動信号に基づく第１周波数帯域の第１信号に従って支持機構を制御し、振動信号に基づく第２周波数帯域の第２信号に従って第１駆動機構を制御することで、像振れ補正を実行する段階を備えてよい。制御方法は、像振れ補正を実行している間に、光学系またはイメージセンサが移動可能範囲の境界位置まで移動した場合、移動可能範囲内の予め定められた第１位置まで光学系またはイメージセンサを移動させるリセット動作を実行する段階を備えてよい。制御方法は、光学系またはイメージセンサが移動可能範囲内の境界位置まで移動した後、リセット動作が完了するまでの間、振動信号に基づく第１周波数帯域及び第２周波数帯域を含む第３周波数帯域の第３信号に従って支持機構を制御することで、像振れ補正を実行する段階を備えてよい。
【００１１】
本発明の一態様に係るプログラムは、上記制御装置としてコンピュータを機能させるためのプログラムでよい。
【００１２】
本発明の一態様によれば、撮像装置を回転可能に支持する支持機構とを備える撮像システムにおいて、像振れ補正をより最適化できる。
【００１３】
なお、上記の発明の概要は、本発明の必要な特徴の全てを列挙したものではない。また、これらの特徴群のサブコンビネーションもまた、発明となりうる。
【図面の簡単な説明】
【００１４】
【図１】撮像システムの外観の一例を示す図である。
【図２】撮像システムの機能ブロックの一例を示す図である。
【図３】撮像システムのピッチ方向の像振れ補正の様子を模式的に示す図である。
【図４】像振れ補正に必要な振れ角度の時間的な変化の様子を示す図である。
【図５】ジンバルの像振れ補正とＯＩＳとを実行する場合の処理手順の一例を示すフローチャートである。
【図６】無人航空機及び遠隔操作装置の外観の一例を示す図である。
【図７】ハードウェア構成の一例を示す図である。
【発明を実施するための形態】
【００１５】
以下、発明の実施の形態を通じて本発明を説明するが、以下の実施の形態は特許請求の範囲に係る発明を限定するものではない。また、実施の形態の中で説明されている特徴の組み合わせの全てが発明の解決手段に必須であるとは限らない。以下の実施の形態に、多様な変更または改良を加えることが可能であることが当業者に明らかである。その様な変更または改良を加えた形態も本発明の技術的範囲に含まれ得ることが、特許請求の範囲の記載から明らかである。
【００１６】
特許請求の範囲、明細書、図面、及び要約書には、著作権による保護の対象となる事項が含まれる。著作権者は、これらの書類の何人による複製に対しても、特許庁のファイルまたはレコードに表示される通りであれば異議を唱えない。ただし、それ以外の場合、一切の著作権を留保する。
【００１７】
本発明の様々な実施形態は、フローチャート及びブロック図を参照して記載されてよく、ここにおいてブロックは、（１）操作が実行されるプロセスの段階または（２）操作を実行する役割を持つ装置の「部」を表わしてよい。特定の段階及び「部」が、プログラマブル回路、及び／またはプロセッサによって実装されてよい。専用回路は、デジタル及び／またはアナログハードウェア回路を含んでよい。集積回路（ＩＣ）及び／またはディスクリート回路を含んでよい。プログラマブル回路は、再構成可能なハードウェア回路を含んでよい。再構成可能なハードウェア回路は、論理ＡＮＤ、論理ＯＲ、論理ＸＯＲ、論理ＮＡＮＤ、論理ＮＯＲ、及び他の論理操作、フリップフロップ、レジスタ、フィールドプログラマブルゲートアレイ（ＦＰＧＡ）、プログラマブルロジックアレイ（ＰＬＡ）等のようなメモリ要素等を含んでよい。
【００１８】
コンピュータ可読媒体は、適切なデバイスによって実行される命令を格納可能な任意の有形なデバイスを含んでよい。その結果、そこに格納される命令を有するコンピュータ可読媒体は、フローチャートまたはブロック図で指定された操作を実行するための手段を作成すべく実行され得る命令を含む、製品を備えることになる。コンピュータ可読媒体の例としては、電子記憶媒体、磁気記憶媒体、光記憶媒体、電磁記憶媒体、半導体記憶媒体等が含まれてよい。コンピュータ可読媒体のより具体的な例としては、フロッピー（登録商標）ディスク、ディスケット、ハードディスク、ランダムアクセスメモリ（ＲＡＭ）、リードオンリメモリ（ＲＯＭ）、消去可能プログラマブルリードオンリメモリ（ＥＰＲＯＭまたはフラッシュメモリ）、電気的消去可能プログラマブルリードオンリメモリ（ＥＥＰＲＯＭ（登録商標））、静的ランダムアクセスメモリ（ＳＲＡＭ）、コンパクトディスクリードオンリメモリ（ＣＤ-ＲＯＭ）、デジタル多用途ディスク（ＤＶＤ）、ブルーレイ（ＲＴＭ）ディスク、メモリスティック、集積回路カード等が含まれてよい。
【００１９】
コンピュータ可読命令は、１または複数のプログラミング言語の任意の組み合わせで記述されたソースコードまたはオブジェクトコードの何れかを含んでよい。ソースコードまたはオブジェクトコードは、従来の手続型プログラミング言語を含む。従来の手続型プログラミング言語は、アセンブラ命令、命令セットアーキテクチャ（ＩＳＡ）命令、マシン命令、マシン依存命令、マイクロコード、ファームウェア命令、状態設定データ、またはＳｍａｌｌｔａｌｋ（登録商標）、ＪＡＶＡ（登録商標）、Ｃ＋＋等のようなオブジェクト指向プログラミング言語、及び「Ｃ」プログラミング言語または同様のプログラミング言語でよい。コンピュータ可読命令は、汎用コンピュータ、特殊目的のコンピュータ、若しくは他のプログラム可能なデータ処理装置のプロセッサまたはプログラマブル回路に対し、ローカルにまたはローカルエリアネットワーク（ＬＡＮ）、インターネット等のようなワイドエリアネットワーク（ＷＡＮ）を介して提供されてよい。プロセッサまたはプログラマブル回路は、フローチャートまたはブロック図で指定された操作を実行するための手段を作成すべく、コンピュータ可読命令を実行してよい。プロセッサの例としては、コンピュータプロセッサ、処理ユニット、マイクロプロセッサ、デジタル信号プロセッサ、コントローラ、マイクロコントローラ等を含む。
【００２０】
図１は、本実施形態に係る撮像システム１０００の外観の一例を示す図である。撮像システム１０００は、ジンバル５０、撮像装置１００、支持部材４１０、一対の持ち手部４００、持ち手部４２０、及び表示装置４５０を備える。
【００２１】
撮像装置１００は、所望の撮像範囲に含まれる被写体を撮像する撮像用のカメラである。ジンバル５０は、撮像装置１００を回転可能に支持する。ジンバル５０は、撮像装置１００の姿勢を調整可能に支持する。ジンバル５０は、支持機構の一例である。例えば、ジンバル５０は、撮像装置１００を、アクチュエータを用いてヨー軸を中心に回転可能に支持する。ジンバル５０は、撮像装置１００を、アクチュエータを用いて更にピッチ軸及びロール軸のそれぞれを中心に回転可能に支持する。ジンバル５０は、ヨー軸、ピッチ軸、及びロール軸の少なくとも１つを中心に撮像装置１００を回転させることで、撮像装置１００の姿勢を変更してよい。
【００２２】
支持部材４１０は、着脱可能にジンバル５０を支持している。支持部材４１０は、Ｔ字形状であり、ピッチ軸方向に延びる棒状部材４１２と、棒状部材４１２の中央部分からヨー軸方向に延びる棒状部材４１４とを含む。一対の持ち手部４００は、支持部材４１０に回転可能に取り付けられる。一対の持ち手部４００は、ジンバル５０を間に挟んで棒状部材４１２の両端に取付けられる。一対の持ち手部４００は、支持部材４１０に回転可能に取り付けられる。一対の持ち手部４００は、着脱可能に支持部材４１０に設けられてよい。棒状部材４１４の一端にジンバル５０が着脱可能に取り付けられる。持ち手部４２０は、ロール軸方向に延び、棒状部材４１４の他端に設けられる。
【００２３】
棒状部材４１４にはさらに表示装置４５０が設けられる。表示装置４５０は、タッチパネルディスプレイでよい。表示装置４５０は、撮像装置１００のレンズ部２００が設けられる側と反対の側で、棒状部材４１４に取付けられる。表示装置４５０は、撮像装置１００のレンズ部２００が設けられる正面と反対側の背面側で、棒状部材４１４に取付けられてよい。表示装置４５０は、支持部材４１０に着脱可能に設けられてよい。撮像システム１０００は、表示装置４５０が支持部材４１０から取り外された状態で、利用されてよい。表示装置４５０は、表示面の角度を調整可能に支持部材４１０に設けられてよい。表示装置４５０は、ピッチ軸を中心に回転可能に支持部材４１０に設けられてよい。
【００２４】
支持部材４１０及び表示装置４５０は、支持部材４１０に取付けられる取付部材の一例である。なお、本実施形態における表示装置４５０は、撮像装置１００と別体として支持部材４１０に取付けられている。しかし、表示装置４５０は、撮像装置１００の一部として設けられてよい。表示装置４５０は、撮像装置１００を介して支持部材４１０に支持されてよい。表示装置４５０は、撮像装置１００に一体的に設けられてよい。表示装置４５０は、撮像装置１００に対して表示面の角度を調整可能に撮像装置１００に設けられてよい。
【００２５】
図２は、撮像システム１０００の機能ブロックの一例を示す図である。撮像システム１０００は、ジンバル５０、撮像装置１００、主制御部６００、メモリ６１０、持ち手部４００、及び表示装置４５０を備える。
【００２６】
表示装置４５０は、撮像装置１００により撮像された画像を表示する。表示装置４５０は、ジンバル５０及び撮像装置１００の各種動作条件を設定する設定画面を表示してよい。表示装置４５０はタッチディスプレイでよく、ユーザは、表示装置４５０を介して、ジンバル５０及び撮像装置１００の動作を指示してよい。
【００２７】
主制御部６００は、撮像システム１０００全体を制御する。主制御部６００は、ＣＰＵまたはＭＰＵなどのマイクロプロセッサ、ＭＣＵなどのマイクロコントローラなどにより構成されてよい。メモリ６１０は、主制御部６００がジンバル５０、撮像装置１００、及び持ち手部４００を制御するのに必要なプログラムなどを格納する。メモリ６１０は、コンピュータ可読可能な記録媒体でよく、ＳＲＡＭ、ＤＲＡＭ、ＥＰＲＯＭ、ＥＥＰＲＯＭ、及びＵＳＢメモリなどのフラッシュメモリの少なくとも１つを含んでよい。メモリ６１０は、支持部材４１０に設けられてよい。メモリ６１０は、支持部材４１０から取り外し可能に設けられてよい。
【００２８】
ジンバル５０は、ジンバル制御部５１０、ヨー軸ドライバ５１２、ピッチ軸ドライバ５２２、ロール軸ドライバ５３２、ヨー軸駆動部５１４、ピッチ軸駆動部５２４、ロール軸駆動部５３４、ヨー軸回転機構５１６、ピッチ軸回転機構５２６、及びロール軸回転機構５３６を有する。
【００２９】
ヨー軸回転機構５１６は、ヨー軸を中心に撮像装置１００を回転させる。ピッチ軸回転機構５２６は、ピッチ軸を中心に撮像装置１００を回転させる。ロール軸回転機構５３６は、ロール軸を中心に撮像装置１００を回転させる。ジンバル制御部５１０は、主制御部６００からのジンバル５０の駆動信号に応じて、ヨー軸ドライバ５１２、ピッチ軸ドライバ５２２、及びロール軸ドライバ５３２に対して、それぞれの駆動量を示す駆動信号を出力する。ヨー軸ドライバ５１２、ピッチ軸ドライバ５２２、及びロール軸ドライバ５３２は、駆動量を示す駆動信号に従って、ヨー軸駆動部５１４、ピッチ軸駆動部５２４、及びロール軸駆動部５３４を駆動させる。ヨー軸回転機構５１６、ピッチ軸回転機構５２６、及びロール軸回転機構５３６は、ヨー軸駆動部５１４、ピッチ軸駆動部５２４、及びロール軸駆動部５３４により駆動されて回転し、撮像装置１００の姿勢を変更する。
【００３０】
撮像装置１００は、撮像部１０２及びレンズ部２００を備える。撮像部１０２は、イメージセンサ１２０、撮像制御部１１０、及びメモリ１３０を有する。イメージセンサ１２０は、ＣＣＤまたはＣＭＯＳにより構成されてよい。イメージセンサ１２０は、ズームレンズ２１１及びフォーカスレンズ２１０を介して結像された光学像の画像データを撮像制御部１１０に出力する。
【００３１】
撮像制御部１１０は、ＣＰＵまたはＭＰＵなどのマイクロプロセッサ、ＭＣＵなどのマイクロコントローラなどにより構成されてよい。メモリ１３０は、コンピュータ可読可能な記録媒体でよく、ＳＲＡＭ、ＤＲＡＭ、ＥＰＲＯＭ、ＥＥＰＲＯＭ、及びＵＳＢメモリなどのフラッシュメモリの少なくとも１つを含んでよい。メモリ１３０は、撮像制御部１１０がイメージセンサ１２０などを制御するのに必要なプログラム等を格納する。メモリ１３０は、撮像装置１００の筐体の内部に設けられてよい。メモリ１３０は、撮像装置１００の筐体から取り外し可能に設けられてよい。
【００３２】
レンズ部２００は、フォーカスレンズ２１０、ズームレンズ２１１、レンズ駆動部２１２、レンズ駆動部２１３及びレンズ制御部２２０を有する。フォーカスレンズ２１０、及びズームレンズ２１１は、少なくとも１つのレンズを含んでよい。フォーカスレンズ２１０、及びズームレンズ２１１の少なくとも一部または全部は、光軸に沿って移動可能に配置される。レンズ部２００は、撮像部１０２に対して着脱可能に設けられる交換レンズでよい。レンズ駆動部２１２は、カム環、ガイド軸などの機構部材を介して、フォーカスレンズ２１０の少なくとも一部または全部を光軸に沿って移動させる。レンズ駆動部２１３は、カム環、ガイド軸などの機構部材を介して、ズームレンズ２１１の少なくとも一部または全部を光軸に沿って移動させる。レンズ制御部２２０は、撮像部１０２からのレンズ制御命令に従って、レンズ駆動部２１２及びレンズ駆動部２１３の少なくとも一方を駆動して、機構部材を介してフォーカスレンズ２１０及びズームレンズ２１１の少なくとも一方を光軸方向に沿って移動させることで、ズーム動作及びフォーカス動作の少なくとも一方を実行する。レンズ制御命令は、例えば、ズーム制御命令、及びフォーカス制御命令である。
【００３３】
レンズ部２００は、位置センサ２１４、及び位置センサ２１５をさらに有する。位置センサ２１４は、フォーカスレンズ２１０の位置を検出する。位置センサ２１４は、現在のフォーカス位置を検出してよい。位置センサ２１５は、ズームレンズ２１１の位置を検出する。位置センサ２１５は、ズームレンズ２１１の現在のズーム位置を検出してよい。
【００３４】
レンズ部２００は、光学式像振れ補正機構（ＯＩＳ）を有する。より具体的には、レンズ部２００は、像振れ補正用のレンズ２３１、レンズ駆動部２３３、及び位置センサ２３５を有する。また、撮像部１０２は、振動センサ２５０を有する。振動センサ２５０は、撮像装置１００の振動を示す振動信号を出力する。振動センサ２５０は、撮像装置１００の振動を検出するジャイロセンサでよい。振動センサ２５０は、撮像装置１００の振動を検出する加速度センサでよい。ジャイロセンサは、例えば角度振れと回転振れを検出する。加速度センサは、例えばＸ方向やＹ方向のシフトぶれを検出する。ジャイロセンサでも、角度や回転をＸ方向の成分やＹ方向の成分に変換することができる。加速度センサでも、Ｘ方向やＹ方向のシフトぶれを角度ぶれと回転ぶれに変換することができる。振動センサ２５０は加速度センサとジャイロセンサを組み合わせてもよい。
【００３５】
レンズ駆動部２３３は、レンズ２３１を光軸と直交する方向に移動させて、像振れ補正を実行する。レンズ駆動部２３３は、Ｘ方向にレンズ２３１を駆動させる電動機、及びＹ方向にレンズ２３１を駆動させる電動機を含んでよい。電動機は、ステッピングモータでよい。電動機は、ボイスコイルモータでよい。
【００３６】
主制御部６００は、振動センサ２５０からの振動信号に基づいて、像振れ補正を実行する。主制御部６００は、振動センサ２５０からの振動信号に基づいて、像振れ補正を実行ためのレンズ駆動部２３３に対する駆動信号を生成してよい。レンズ駆動部２３３は、駆動信号に基づいて、レンズ２３１を光軸と直交する方向に移動させてよい。レンズ駆動部２３３は、駆動信号に基づいてレンズ２３１を光軸と直交するＸ方向及びＹ方向に移動させてよい。レンズ駆動部２３３は、振動センサ２５０からの振動信号に基づいて、撮像装置１００の振動の影響を低減させる方向に、レンズ２３１を光軸と直交する方向に移動させてよい。
【００３７】
駆動信号は、レンズ２３１をＸ方向及びＹ方向に移動させる移動量を示してよい。駆動信号は、レンズ２３１をＸ方向に移動させるための電動機の駆動量、及びレンズ２３１をＹ方向に移動させるための電動機の駆動量を示してよい。駆動信号は、それぞれの電動機に入力する電流値を示してよい。
【００３８】
位置センサ２３５は、レンズ２３１の位置を検出する。位置センサ２３５は、レンズ２３１の光軸と垂直な方向の位置を検出してよい。位置センサ２３５は、レンズ２３１の光軸と垂直なＸ方向及びＹ方向の位置を検出してよい。
【００３９】
レンズ部２００は、像振れ補正装置の一例である。レンズ制御部２２０は、振動センサ２５０からの振動を示す振動信号を取得し、振動信号に基づいて、レンズ駆動部２３３を介して、レンズ２３１を光軸と交差するＸ方向及びＹ方向の少なくとも一方に振動させることで、像振れを補正する。イメージセンサ１２０は、ズームレンズ２１１、フォーカスレンズ２１０、及びレンズ２３１を介して結像された像を撮像する。
【００４０】
撮像部１０２は、ボディ内像振れ補正機構（ＢＩＳ）をさらに有する。より具体的には、撮像部１０２は、イメージセンサ駆動部１５０、及び位置センサ１５２をさらに有する。イメージセンサ駆動部１５０は、イメージセンサ１２０を光軸と交差する方向に移動させる。イメージセンサ駆動部１５０は、イメージセンサ１２０を光軸と直交する方向に移動させる。イメージセンサ駆動部１５０は、イメージセンサ１２０を光軸と直交するＸ方向及びＹ方向の少なくとも一方に移動させる。イメージセンサ駆動部１５０は、Ｘ方向にイメージセンサ１２０を駆動させる電動機、及びＹ方向にイメージセンサ１２０を駆動させる電動機を含んでよい。第３電動機及び第４電動機は、ステッピングモータ、またはボイルコイルモータでよい。位置センサ１５２は、イメージセンサ１２０の位置を検出する。位置センサ１５２は、イメージセンサ１２０の光軸と垂直な方向の位置を検出してよい。主制御部６００は、振動センサ２５０からの振動信号に基づいて、像振れ補正を実行するためのイメージセンサ駆動部１５０に対する駆動信号を生成してよい。撮像制御部１１０は、主制御部６００からの振動信号に基づいて、イメージセンサ駆動部１５０を介して、イメージセンサ１２０を光軸と交差する方向に振動させることで、像振れを補正する。イメージセンサ駆動部１５０は、駆動信号に基づいて、イメージセンサ１２０を光軸と直交する方向に移動させてよい。イメージセンサ駆動部１５０は、駆動信号に基づいてイメージセンサ１２０を光軸と直交するＸ方向及びＹ方向に移動させてよい。イメージセンサ駆動部１５０は、駆動信号に基づいて、撮像装置１００の振動の影響を低減させる方向に、イメージセンサ１２０を光軸と直交する方向に移動させてよい。
【００４１】
駆動信号は、イメージセンサ１２０をＸ方向及びＹ方向に移動させる移動量を示してよい。駆動信号は、イメージセンサ１２０をＸ方向に移動させるための電動機の駆動量、及びイメージセンサ１２０をＹ方向に移動させるための電動機の駆動量を示してよい。駆動信号は、それぞれの電動機に入力する電流値を示してよい。
【００４２】
撮像装置１００は、ＯＩＳまたはＢＩＳの少なくとも一方を有していればよい。イメージセンサ駆動部１５０またはレンズ駆動部２３３が駆動機構の一例である。
【００４３】
撮像システム１０００において、ジンバル５０は、撮像装置１００の姿勢を制御する。ジンバル５０は、例えば、撮像装置１００の姿勢を予め定められた姿勢を維持するように、ヨー軸駆動部５１４、ピッチ軸駆動部５２４、及びロール軸駆動部５３４を介して、ヨー軸回転機構５１６、ピッチ軸回転機構５２６、及びロール軸回転機構５３６を制御する。
【００４４】
図３は、撮像システム１０００のピッチ方向の像振れ補正の様子を模式的に示す。撮像システム１０００は、振動センサ２５０からの振動信号に基づいて、レンズ２３１、イメージセンサ１２０、及びジンバル５０の少なくとも１つを駆動させることで、像振れ補正を実行する。ジンバル５０、レンズ２３１、及びイメージセンサ１２０のそれぞれの重量は異なり、動きやすさも異なる。例えば、イメージセンサ１２０が最も軽く、次に、レンズ２３１が軽く、ジンバル５０が最も重い。レンズ２３１が小型の場合には、イメージセンサ１２０よりもレンズ２３１のほうが軽い場合もある。軽い重量の制御対象は、重い重量の制御対象より、低い電力で高い周波数で振動させることができる。よって、高い周波数の像振れの補正は、軽い重量の制御対象で実行するほうが、重い重量の制御対象で実行するよりも、電力の消費を抑えることができる。
【００４５】
そこで、本実施形態では、振動センサ２５０からの振動信号を異なる周波数帯域ごとに分けて、それぞれの周波数帯域における電力消費を抑制させることを考慮して、ジンバル５０、レンズ２３１、及びイメージセンサ１２０に割り当てる。ジンバル５０、レンズ２３１、及びイメージセンサ１２０のそれぞれは、割り当てられた周波数帯域の周波数の振動を打ち消すように像振れ補正を実行する。
【００４６】
主制御部６００は、振動センサ２５０から撮像装置１００の振動を示す振動信号を、撮像制御部１１０を介して取得する。主制御部６００は、振動信号から第１周波数帯域の第１信号と、第２周波数帯域の第２信号とを取得する。主制御部６００は、振動信号から第３周波数帯域の第３信号を取得してよい。主制御部６００は、第１周波数帯域、第２周波数帯域、及び第３周波数帯域のそれぞれのフィルタを利用することで、振動信号から、第１周波数帯域の第１信号、第２周波数帯域の第２信号、及び第３周波数帯域の第３信号を分離して取得する。
【００４７】
主制御部６００は、ジンバル制御部５１０を介して、第１信号に基づいて、ヨー軸回転機構５１６、ピッチ軸回転機構５２６、及びロール軸回転機構５３６の少なくとも１つを制御する。主制御部６００は、第１信号で示される振動を打ち消すように、ヨー軸回転機構５１６、ピッチ軸回転機構５２６、及びロール軸回転機構５３６の少なくとも１つを制御する。主制御部６００は、レンズ制御部２２０を介して、第２信号に基づいて、レンズ駆動部２３３を制御する。主制御部６００は、第２信号で示される振動を打ち消すように、レンズ駆動部２３３を制御する。主制御部６００は、撮像制御部１１０を介して、第３信号に基づいてイメージセンサ駆動部１５０を制御する。主制御部６００は、第３信号で示される振動を打ち消すように、イメージセンサ駆動部１５０を制御する。
【００４８】
主制御部６００は、第１信号に基づいてヨー軸回転機構５１６、ピッチ軸回転機構５２６、及びロール軸回転機構５３６の少なくとも１つを制御し、第２信号に基づいてレンズ駆動部２３３を制御し、第３信号に基づいてイメージセンサ駆動部１５０を制御することで、像振れ補正を実行する。
【００４９】
ＯＩＳ用の第２周波数帯域は、ジンバル５０用の第１周波数帯域に含まれる周波数によりも高い周波数を含んでよい。ＯＩＳ用の第２周波数帯域は、第１周波数帯域に含まれる周波数の一部を含んでよい。第１周波数帯域は、第２周波数帯域の一部と重複してよい。第３周波数帯域は、ＯＩＳ用の第２周波数帯域に含まれる周波数より高い周波数を含んでよい。第２周波数帯域は、第１周波数帯域の一部及び第４周波数帯域の一部と重複してよい。ＯＩＳ用の第２周波数帯域及びＢＩＳ用の第４周波数帯域は、ジンバル５０用の第１周波数帯域に含まれる周波数よりも高い周波数を含んでよい。
【００５０】
第１周波数帯域、第２周波数帯域、及び第４周波数帯域のそれぞれのフィルタは、それぞれの駆動系の特性に応じて事前に設計されてよい。第１周波数帯域、第２周波数帯域、及び第４周波数帯域のそれぞれのフィルタは、制御対象の重量の大きさに応じて事前に設計されてよい。
【００５１】
撮像装置１００がジンバル５０に対して着脱可能に接続される態様であれば、主制御部６００は、撮像装置１００からＯＩＳ用の周波数帯域、及びＢＩＳ用の周波数帯域を示す周波数帯域情報を取得し、メモリ６１０からジンバル５０用の周波数帯域を示す周波数帯域情報を取得し、各周波数帯域情報に基づいて、第１周波数帯域、第２周波数帯域、及び第４周波数帯域のそれぞれのフィルタを設定してよい。主制御部６００は、撮像装置１００からＯＩＳ用のフィルタ、及びＢＩＳ用のフィルタを示すフィルタ情報を取得し、メモリ６１０からジンバル５０用のフィルタを示すフィルタ情報を取得し、各フィルタ情報に基づいて、第１周波数帯域、第２周波数帯域、及び第４周波数帯域のそれぞれのフィルタを設定してよい。
【００５２】
主制御部６００は、メモリ６１０に記憶された複数のフィルタ情報に基づいて、周波数帯域情報に示される周波数帯域に応じて、フィルタ情報を読み出し、第１周波数帯域、第２周波数帯域、及び第４周波数帯域のそれぞれのフィルタを設定してよい。
【００５３】
レンズ部２００が撮像部１０２に対して着脱可能に装着される交換レンズの場合、主制御部６００は、周波数帯域またはフィルタを特定可能な交換レンズのレンズ情報を取得し、レンズ情報に基づいて、第２周波数帯域のフィルタを設定してよい。
【００５４】
ここで、撮像装置１００は、ＯＩＳまたはＢＩＳを有することで、撮像装置１００の振れを打ち消す方向に、レンズ２３１またはイメージセンサ１２０を移動させることで、像振れを補正する。しかし、レンズ２３１またはイメージセンサ１２０の移動可能範囲は、物理的な制約がある。レンズ２３１またはイメージセンサ１２０が移動可能範囲内の境界位置まで移動すると、移動可能範囲内の予め定められた第１位置までレンズ２３１またはイメージセンサ１２０を移動させるリセット動作が実行される。レンズ２３１またはイメージセンサ１２０が移動可能範囲内の境界位置まで移動すると、移動可能範囲内の予め定められた初期位置まで、レンズ２３１またはイメージセンサ１２０を移動させるリセット動作が実行されてよい。リセット動作が実行されている間は、レンズ２３１またはイメージセンサ１２０を移動させることで像振れ補正を実行できない。一方、レンズ２３１またはイメージセンサ１２０のリセット動作が実行されている間でも、ジンバル５０による像振れ補正は実行できる。
【００５５】
そこで、レンズ２３１またはイメージセンサ１２０が像振れ補正を実行している間に、リセット動作を実行している場合、主制御部６００は、レンズ２３１またはイメージセンサ１２０に割り当てられた周波数帯域の少なくとも一部の像振れ補正もジンバル５０に実行させてよい。
【００５６】
主制御部６００は、像振れ補正を実行している間に、レンズ２３１またはイメージセンサ１２０が移動可能範囲の境界位置まで移動した場合、移動可能範囲内の予め定められた第１位置までレンズ２３１またはイメージセンサ１２０を移動させるリセット動作を実行してよい。主制御部６００は、レンズ２３１またはイメージセンサ１２０が移動可能範囲内の境界位置まで移動した後、リセット動作が完了するまでの間、振動センサ２５０からの振動信号に基づく第１周波数帯域及び第２周波数帯域を含む第３周波数帯域の第３信号を取得してよい。主制御部６００は、第３信号に従ってジンバル５０を制御することで、像振れ補正を実行してよい。
【００５７】
主制御部６００は、レンズ２３１またはイメージセンサ１２０が移動可能範囲内の境界位置まで移動すると、リセット動作を開始するまでレンズ２３１またはイメージセンサ１２０を境界位置で待機させてよい。そして、主制御部６００は、第２信号に基づいてレンズ駆動部２３３またはイメージセンサ駆動部１５０を制御することでレンズ２３１またはイメージセンサ１２０の移動方向が第１位置に近づく方向になる場合に、リセット動作を開始してよい。
【００５８】
主制御部６００は、像振れ補正を実行している間に、レンズ２３１またはイメージセンサ１２０のリセット動作を実行している場合、振動センサ２５０からの振動信号から第１周波数帯域の周波数と、第２周波数帯域または第４周波数帯域の少なくとも一部の周波数とを含む第３周波数帯域の第３信号を取得し、第３信号に基づいてジンバル５０を制御することで、像振れ補正を実行してよい。また、主制御部６００は、像振れ補正を実行しながら、レンズ２３１またはイメージセンサ１２０のリセット動作を打ち消す方向に、ジンバル５０を駆動してもよい。
【００５９】
主制御部６００は、レンズ２３１のリセット動作を実行している場合、第１周波数帯域用のフィルタ及び第２周波数帯域用のフィルタから、第３周波数帯域用のフィルタに切り替えることで、第３周波数帯域の第３信号を取得してよい。
【００６０】
主制御部６００は、第３信号に基づいてジンバル制御部５１０を介してヨー軸回転機構５１６、ピッチ軸回転機構５２６、及びロール軸回転機構５３６の少なくとも１つを制御し、第４信号に基づいてイメージセンサ駆動部１５０を介してイメージセンサ１２０を制御することで、像振れ補正を実行してよい。主制御部６００は、レンズ２３１がリセット動作で第１方向に第１移動量だけ移動する場合、撮像装置１００が第１方向と反対の第２方向に第１移動量だけ移動するようにジンバル５０を制御してよい。主制御部６００は、レンズ２３１がリセット動作で第１方向に第１移動量だけ移動する場合、像振れ補正を実行しながら、撮像装置１００が第１方向と反対の第２方向に第１移動量に相当する回転量だけ回転するように、ジンバル５０の姿勢を制御してよい。これにより、リセット動作に伴う画像内での被写体の位置ずれを抑制できる。
【００６１】
図４は、像振れ補正に必要な振れ角度の時間的な変化の様子を示す。図４は、ジンバル５０及びレンズ２３１の駆動を制御することで、像振れ補正を行う例を示す。（ａ）では、ジンバル５０の像振れ補正及びＯＩＳの総合的な振れ角度８００と、ジンバル５０で本来補正すべき振れ角度８０２とを示す。（ｂ）では、ジンバル５０で本来補正すべき振れ角度８０２と、ＯＩＳのリセット動作に伴いＯＩＳの振れ角度分を加算したジンバル５０で実際に補正すべき振れ角度８０４とを示す。（ｃ）では、ＯＩＳで本来補正すべき振れ角度８０６と、ＯＩＳのリセット動作に伴いＯＩＳで実際に補正すべき振れ角度８０８とを示す。
【００６２】
第１期間８１０において、主制御部６００は、ジンバル５０の像振れ補正と、ＯＩＳとをそれぞれ実行する。第１期間８１０において、主制御部６００は、第１周波数帯域の像振れ補正をジンバル５０を駆動することで、実行する。さらに、主制御部６００は、第１周波数帯域より高い第２周波数帯域の振れ補正をＯＩＳにより実行する。
【００６３】
ＯＩＳを実行することで、レンズ２３１が移動可能範囲の境界位置まで移動すると、第２期間８１２において、主制御部６００は、ＯＩＳを一旦保留にして、レンズ２３１を境界位置に待機させる。第２期間８１２において、主制御部６００は、ＯＩＳで本来補正すべき振れ角度を加算して、ジンバル５０での像振れ補正を実行する。
【００６４】
その後、本来補正すべき総合的な振れ角度８００が、レンズ２３１が予め定められた第１位置に近づくように移動する方向の振れ角度であれば、第３期間８１４において、主制御部６００は、レンズ２３１を第１位置に移動させるべくリセット動作を実行する。リセット動作を実行している間、主制御部６００は、リセット動作に伴うレンズ２３１の振れ角度を加算して、ジンバル５０の像振れ補正を実行する。リセット動作が完了すると、第４期間８１６において、再び、ジンバル５０の像振れ補正と、ＯＩＳとをそれぞれ実行する。
【００６５】
図５は、ジンバル５０の像振れ補正とＯＩＳとを実行する場合の処理手順の一例を示す。
【００６６】
主制御部６００は、振動センサ２５０からの振動信号に基づく第１周波数帯域の第１信号に基づいてジンバル５０を駆動し、振動信号に基づく第２周波数帯域の第２信号に基づいてレンズ２３１を駆動することで、像振れ補正を実行する（Ｓ１００）。主制御部６００は、像振れ補正を実行中に、レンズ２３１が移動可能範囲の境界位置まで移動したかどうかを判定する（Ｓ１０２）。レンズ２３１が境界位置まで移動していない場合には、ジンバル５０とレンズ２３１とを駆動する像振れ補正を継続する。
【００６７】
一方、レンズ２３１が境界位置まで移動すると、主制御部６００は、ＯＩＳを一旦停止して、レンズ２３１を境界位置で待機させる（Ｓ１０４）。主制御部６００は、ＯＩＳで本来補正すべき振れ角度を導出する（Ｓ１０６）。主制御部６００は、ＯＩＳで補正すべき振れ角度を加算して、ジンバル５０による像振れ補正を実行する（Ｓ１０８）。
【００６８】
主制御部６００は、第２周波数帯域の第２信号に基づいて、本来ＯＩＳで補正すべき振れ角度が、レンズ２３１が第１位置に近づく方向に移動する角度を示すか否かを判定する（Ｓ１１０）。レンズ２３１が第１位置に近づく方向に移動する場合には、主制御部６００は、ＯＩＳのリセット動作を開始する（Ｓ１１２）。つまり、主制御部６００は、レンズ２３１を第１位置まで移動させるべく、レンズ２３１の駆動を開始する。
【００６９】
リセット動作を実行している間、主制御部６００は、第２信号に基づいてＯＩＳで本来補正すべき振れ角度を導出する（Ｓ１１４）。主制御部６００は、ＯＩＳで補正すべき振れ角度を加算して、ジンバル５０による像振れ補正を実行する（Ｓ１１６）。主制御部６００は、ＯＩＳで補正すべき振れ角度を加算して、かつリセット動作に伴うレンズ２３１の移動を相殺するように、ジンバル５０による像振れ補正を実行する。リセット動作が完了すると（Ｓ１１８）。主制御部６００は、再び、ジンバル５０の像振れ補正とＯＩＳとを実行する。
【００７０】
以上のように、本実施形態によれば、ＯＩＳまたはＢＩＳ、もしくはＯＩＳ及びＢＩＳに加えて、ジンバル５０による像振れ補正を実行する。そして、ＯＩＳまたはＢＩＳでのリセット動作が実行される場合、リセット動作が完了するまでの間、ジンバル５０によりＯＩＳまたはＢＩＳで本来実行すべき像振れ補正も実行する。これにより、ＯＩＳまたはＢＩＳでのリセット動作が完了するまでの間も、高い精度で像振れ補正を実行できる。ＯＩＳまたはＢＩＳで、高周波成分の像振れ補正を実行し、ジンバル５０で低周波成分の像振れ補正を実行することで、電力消費を抑える。しかも、リセット動作によりＯＩＳまたはＢＩＳで高周波成分の像振れ補正を実行できない場合には、ジンバル５０で低周波及び高周波成分の像振れ補正を実行する。よって、像振れ補正の精度を向上させることができる。
【００７１】
上記のような撮像装置１００は、移動体に搭載されてもよい。撮像装置１００は、図６に示すような、無人航空機（ＵＡＶ）に搭載されてもよい。ＵＡＶ１０は、ＵＡＶ本体２０、ジンバル５０、複数の撮像装置６０、及び撮像装置１００を備えてよい。ジンバル５０、及び撮像装置１００は、撮像システムの一例である。ＵＡＶ１０は、推進部により推進される移動体の一例である。移動体とは、ＵＡＶの他、空中を移動する他の航空機などの飛行体、地上を移動する車両、水上を移動する船舶等を含む概念である。
【００７２】
ＵＡＶ本体２０は、複数の回転翼を備える。複数の回転翼は、推進部の一例である。ＵＡＶ本体２０は、複数の回転翼の回転を制御することでＵＡＶ１０を飛行させる。ＵＡＶ本体２０は、例えば、４つの回転翼を用いてＵＡＶ１０を飛行させる。回転翼の数は、４つには限定されない。また、ＵＡＶ１０は、回転翼を有さない固定翼機でもよい。
【００７３】
撮像装置１００は、所望の撮像範囲に含まれる被写体を撮像する撮像用のカメラである。ジンバル５０は、撮像装置１００を回転可能に支持する。ジンバル５０は、支持機構の一例である。例えば、ジンバル５０は、撮像装置１００を、アクチュエータを用いてピッチ軸で回転可能に支持する。ジンバル５０は、撮像装置１００を、アクチュエータを用いて更にロール軸及びヨー軸のそれぞれを中心に回転可能に支持する。ジンバル５０は、ヨー軸、ピッチ軸、及びロール軸の少なくとも１つを中心に撮像装置１００を回転させることで、撮像装置１００の姿勢を変更してよい。
【００７４】
複数の撮像装置６０は、ＵＡＶ１０の飛行を制御するためにＵＡＶ１０の周囲を撮像するセンシング用のカメラである。２つの撮像装置６０が、ＵＡＶ１０の機首である正面に設けられてよい。更に他の２つの撮像装置６０が、ＵＡＶ１０の底面に設けられてよい。正面側の２つの撮像装置６０はペアとなり、いわゆるステレオカメラとして機能してよい。底面側の２つの撮像装置６０もペアとなり、ステレオカメラとして機能してよい。複数の撮像装置６０により撮像された画像に基づいて、ＵＡＶ１０の周囲の３次元空間データが生成されてよい。ＵＡＶ１０が備える撮像装置６０の数は４つには限定されない。ＵＡＶ１０は、少なくとも１つの撮像装置６０を備えていればよい。ＵＡＶ１０は、ＵＡＶ１０の機首、機尾、側面、底面、及び天井面のそれぞれに少なくとも１つの撮像装置６０を備えてもよい。撮像装置６０で設定できる画角は、撮像装置１００で設定できる画角より広くてよい。撮像装置６０は、単焦点レンズまたは魚眼レンズを有してもよい。
【００７５】
遠隔操作装置３００は、ＵＡＶ１０と通信して、ＵＡＶ１０を遠隔操作する。遠隔操作装置３００は、ＵＡＶ１０と無線で通信してよい。遠隔操作装置３００は、ＵＡＶ１０に上昇、下降、加速、減速、前進、後進、回転などのＵＡＶ１０の移動に関する各種命令を示す指示情報を送信する。指示情報は、例えば、ＵＡＶ１０の高度を上昇させる指示情報を含む。指示情報は、ＵＡＶ１０が位置すべき高度を示してよい。ＵＡＶ１０は、遠隔操作装置３００から受信した指示情報により示される高度に位置するように移動する。指示情報は、ＵＡＶ１０を上昇させる上昇命令を含んでよい。ＵＡＶ１０は、上昇命令を受け付けている間、上昇する。ＵＡＶ１０は、上昇命令を受け付けても、ＵＡＶ１０の高度が上限高度に達している場合には、上昇を制限してよい。
【００７６】
図７は、本発明の複数の態様が全体的または部分的に具現化されてよいコンピュータ１２００の一例を示す。コンピュータ１２００にインストールされたプログラムは、コンピュータ１２００に、本発明の実施形態に係る装置に関連付けられるオペレーションまたは当該装置の１または複数の「部」として機能させることができる。または、当該プログラムは、コンピュータ１２００に当該オペレーションまたは当該１または複数の「部」を実行させることができる。当該プログラムは、コンピュータ１２００に、本発明の実施形態に係るプロセスまたは当該プロセスの段階を実行させることができる。そのようなプログラムは、コンピュータ１２００に、本明細書に記載のフローチャート及びブロック図のブロックのうちのいくつかまたはすべてに関連付けられた特定のオペレーションを実行させるべく、ＣＰＵ１２１２によって実行されてよい。
【００７７】
本実施形態によるコンピュータ１２００は、ＣＰＵ１２１２、及びＲＡＭ１２１４を含み、それらはホストコントローラ１２１０によって相互に接続されている。コンピュータ１２００はまた、通信インタフェース１２２２、入力／出力ユニットを含み、それらは入力／出力コントローラ１２２０を介してホストコントローラ１２１０に接続されている。コンピュータ１２００はまた、ＲＯＭ１２３０を含む。ＣＰＵ１２１２は、ＲＯＭ１２３０及びＲＡＭ１２１４内に格納されたプログラムに従い動作し、それにより各ユニットを制御する。
【００７８】
通信インタフェース１２２２は、ネットワークを介して他の電子デバイスと通信する。ハードディスクドライブが、コンピュータ１２００内のＣＰＵ１２１２によって使用されるプログラム及びデータを格納してよい。ＲＯＭ１２３０はその中に、アクティブ化時にコンピュータ１２００によって実行されるブートプログラム等、及び／またはコンピュータ１２００のハードウェアに依存するプログラムを格納する。プログラムが、ＣＲ−ＲＯＭ、ＵＳＢメモリまたはＩＣカードのようなコンピュータ可読記録媒体またはネットワークを介して提供される。プログラムは、コンピュータ可読記録媒体の例でもあるＲＡＭ１２１４、またはＲＯＭ１２３０にインストールされ、ＣＰＵ１２１２によって実行される。これらのプログラム内に記述される情報処理は、コンピュータ１２００に読み取られ、プログラムと、上記様々なタイプのハードウェアリソースとの間の連携をもたらす。装置または方法が、コンピュータ１２００の使用に従い情報のオペレーションまたは処理を実現することによって構成されてよい。
【００７９】
例えば、通信がコンピュータ１２００及び外部デバイス間で実行される場合、ＣＰＵ１２１２は、ＲＡＭ１２１４にロードされた通信プログラムを実行し、通信プログラムに記述された処理に基づいて、通信インタフェース１２２２に対し、通信処理を命令してよい。通信インタフェース１２２２は、ＣＰＵ１２１２の制御の下、ＲＡＭ１２１４、またはＵＳＢメモリのような記録媒体内に提供される送信バッファ領域に格納された送信データを読み取り、読み取られた送信データをネットワークに送信し、またはネットワークから受信した受信データを記録媒体上に提供される受信バッファ領域等に書き込む。
【００８０】
また、ＣＰＵ１２１２は、ＵＳＢメモリ等のような外部記録媒体に格納されたファイルまたはデータベースの全部または必要な部分がＲＡＭ１２１４に読み取られるようにし、ＲＡＭ１２１４上のデータに対し様々なタイプの処理を実行してよい。ＣＰＵ１２１２は次に、処理されたデータを外部記録媒体にライトバックしてよい。
【００８１】
様々なタイプのプログラム、データ、テーブル、及びデータベースのような様々なタイプの情報が記録媒体に格納され、情報処理を受けてよい。ＣＰＵ１２１２は、ＲＡＭ１２１４から読み取られたデータに対し、本開示の随所に記載され、プログラムの命令シーケンスによって指定される様々なタイプのオペレーション、情報処理、条件判断、条件分岐、無条件分岐、情報の検索／置換等を含む、様々なタイプの処理を実行してよく、結果をＲＡＭ１２１４に対しライトバックする。また、ＣＰＵ１２１２は、記録媒体内のファイル、データベース等における情報を検索してよい。例えば、各々が第２の属性の属性値に関連付けられた第１の属性の属性値を有する複数のエントリが記録媒体内に格納される場合、ＣＰＵ１２１２は、第１の属性の属性値が指定される、条件に一致するエントリを当該複数のエントリの中から検索し、当該エントリ内に格納された第２の属性の属性値を読み取り、それにより予め定められた条件を満たす第１の属性に関連付けられた第２の属性の属性値を取得してよい。
【００８２】
上で説明したプログラムまたはソフトウェアモジュールは、コンピュータ１２００上またはコンピュータ１２００近傍のコンピュータ可読記憶媒体に格納されてよい。また、専用通信ネットワークまたはインターネットに接続されたサーバーシステム内に提供されるハードディスクまたはＲＡＭのような記録媒体が、コンピュータ可読記憶媒体として使用可能であり、それによりプログラムを、ネットワークを介してコンピュータ１２００に提供する。
【００８３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００８４】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００８５】
１０  ＵＡＶ
２０  ＵＡＶ本体
５０  ジンバル
６０  撮像装置
１００  撮像装置
１０２  撮像部
１１０  撮像制御部
１２０  イメージセンサ
１３０  メモリ
１５０  イメージセンサ駆動部
１５２  位置センサ
２００  レンズ部
２１０  フォーカスレンズ
２１１  ズームレンズ
２１２，２１３  レンズ駆動部
２１４、２１５  位置センサ
２２０  レンズ制御部
２３１  レンズ
２３３  レンズ駆動部
２３５  位置センサ
２５０  振動センサ
４００  持ち手部
４１０  支持部材
４１２  棒状部材
４１４  棒状部材
４２０  持ち手部
４５０  表示装置
５１０  ジンバル制御部
５１２  ヨー軸ドライバ
５１４  ヨー軸駆動部
５１６  ヨー軸回転機構
５２２  ピッチ軸ドライバ
５２４  ピッチ軸駆動部
５２６  ピッチ軸回転機構
５３２  ロール軸ドライバ
５３４  ロール軸駆動部
５３６  ロール軸回転機構
３００  遠隔操作装置
６００  主制御部
６１０  メモリ
１０００  撮像システム
１２００  コンピュータ
１２１０  ホストコントローラ
１２１２  ＣＰＵ
１２１４  ＲＡＭ
１２２０  入力／出力コントローラ
１２２２  通信インタフェース
１２３０  ＲＯＭ
【要約】      （修正有）【課題】像振れ補正をより最適化する。【解決手段】制御装置は、撮像装置の振動を示す振動信号に基づく第１周波数帯域の第１信号に従って支持機構を制御し、振動信号に基づく第２周波数帯域の第２信号に従って第１駆動機構を制御することで、像振れ補正を実行するように構成される回路を備える。回路は、像振れ補正を実行している間に、光学系またはイメージセンサが移動可能範囲の境界位置まで移動した場合、移動可能範囲内の予め定められた第１位置まで光学系またはイメージセンサを移動させるリセット動作を実行し、光学系またはイメージセンサが移動可能範囲内の境界位置まで移動した後、リセット動作が完了するまでの間、振動信号に基づく第１周波数帯域及び第２周波数帯域を含む第３周波数帯域の第３信号に従って支持機構を制御することで、像振れ補正を実行するように構成される。【選択図】図５【図１】
0006972458.tif 000002
【図２】
0006972458.tif 000003
【図３】
0006972458.tif 000004
【図４】
0006972458.tif 000005
【図５】
0006972458.tif 000006
【図６】
0006972458.tif 000007
【図７】
0006972458.tif 000008